(57)【特許請求の範囲】
【請求項１】
発呼者からパケット交換呼の第１音声ストリームを受信するステップであって、前記第１音声ストリームは、第１無音抑制方式に従い、前記パケット交換呼の複数の符号化されたパケットを含む、ステップと、
第２無音抑制方式に従う第２音声ストリームを作成するために前記複数の符号化されたパケットから符号化されたパケットのサブセットを選択するステップであって、前記第２音声ストリームは、符号化されたパケットの前記サブセットを含み、前記第１無音抑制方式は、前記第２無音抑制方式とは異なる、ステップと、
前記パケット交換呼の被呼者に向けて前記第２音声ストリームを転送するステップと、を具備し、
前記第１音声ストリームは、第１ＤＴＸ（discontinuous transmission）ストリームを含み、前記第２音声ストリームは、第２ＤＴＸストリームを含み、
符号化されたパケットの前記サブセットを選択する前記ステップは、前記第２ＤＴＸストリームが前記第２無音抑制方式に従うように、前記第２無音抑制方式に従って符号化されたパケットの前記サブセットを選択するステップを含み、
前記第１無音抑制方式および前記第２無音抑制方式は、それぞれ、第１無音抑制インターバルおよび第２無音抑制インターバルを含み、
前記複数の符号化されたパケットは、前記第１無音抑制インターバルに前記第１無音抑制方式に従って送信される同期パケット、または、前記第１無音抑制インターバルとは独立に前記第１無音抑制方式に従って送信される非同期パケットのうちの少なくとも１つを含み、
符号化されたパケットの前記サブセットを選択する前記ステップは、前記第２無音抑制インターバルに、前記同期パケットまたは前記非同期パケットのうちの前記少なくとも１つの直前に受信されたパケットを選択するステップであって、符号化されたパケットの前記サブセットは、前記直前に受信されたパケットを含む、ステップを含み、
前記第２ＤＴＸストリームを転送する前記ステップは、前記第２無音抑制インターバルに前記直前に受信されたパケットを転送するステップを含む、
無音抑制インターフェース・コンポーネントによって実行される、方法。
【請求項２】
前記第１無音抑制インターバルは、前記第２無音抑制インターバルとは異なる、請求項１に記載の方法。
【請求項３】
前記第１無音抑制方式は、Enhanced Variable Rate Codec Narrowband-Wideband（ＥＶＲＣ−ＮＷ）規格に従い、
前記同期パケットは、前記ＥＶＲＣ−ＮＷ規格のレート１／８非クリティカル・パケットを含み、
前記第２無音抑制方式は、Enhanced Variable Rate Codec B（ＥＶＲＣ−Ｂ）規格に従う、請求項２に記載の方法。
【請求項４】
発呼者からパケット交換呼の第１音声ストリームを受信するステップであって、前記第１音声ストリームは、第１無音抑制方式に従い、前記パケット交換呼の複数の符号化されたパケットを含む、ステップと、
第２無音抑制方式に従う第２音声ストリームを作成するために前記複数の符号化されたパケットから符号化されたパケットのサブセットを選択するステップであって、前記第２音声ストリームは、符号化されたパケットの前記サブセットを含み、前記第１無音抑制方式は、前記第２無音抑制方式とは異なる、ステップと、
前記パケット交換呼の被呼者に向けて前記第２音声ストリームを転送するステップと、を具備し、
前記第１音声ストリームは、第１ＤＴＸ（discontinuous transmission）ストリームを含み、前記第２音声ストリームは、第２ＤＴＸストリームを含み、
符号化されたパケットの前記サブセットを選択する前記ステップは、前記第２ＤＴＸストリームが前記第２無音抑制方式に従うように、前記第２無音抑制方式に従って符号化されたパケットの前記サブセットを選択するステップを含み、
前記第１無音抑制方式および前記第２無音抑制方式とは別個の第３無音抑制方式の１つまたは複数のパラメータを受信するステップと、
前記第３無音抑制方式の前記１つまたは複数のパラメータを格納するステップと、
前記第３無音抑制方式の前記１つまたは複数のパラメータに基づいて符号化されたパケットの前記サブセットを選択するステップとをさらに具備する、
無音抑制インターフェース・コンポーネントによって実行される、方法。
【請求項５】
送信するデバイスからパケット交換呼の第１音声ストリームを受信するように構成された無音抑制インターフェース・コンポーネントを含む装置であって、
前記第１音声ストリームは、第１無音抑制方式に従い、前記パケット交換呼の複数の符号化されたパケットを含み、
前記無音抑制インターフェース・コンポーネントは、第２無音抑制方式に従う第２音声ストリームを作成するために前記複数の符号化されたパケットから符号化されたパケットのサブセットを選択するように構成され、
前記第２音声ストリームは、符号化されたパケットの前記サブセットを含み、
前記第１無音抑制方式は、前記第２無音抑制方式とは異なり、
前記無音抑制インターフェース・コンポーネントは、前記パケット交換呼の受信するデバイスに向けて前記第２音声ストリームを転送するように構成され、
前記第１音声ストリームは、第１ＤＴＸ（discontinuous transmission）ストリームを含み、
前記第２音声ストリームは、第２ＤＴＸストリームを含み、
前記第１無音抑制方式および前記第２無音抑制方式は、それぞれ、第１無音抑制インターバルおよび第２無音抑制インターバルを含み、
前記複数の符号化されたパケットは、前記第１無音抑制インターバルに前記第１無音抑制方式に従って送信される同期パケット、または、前記第１無音抑制インターバルとは独立に前記第１無音抑制方式に従って送信される非同期パケットのうちの少なくとも１つを含み、
前記無音抑制インターフェース・コンポーネントは、前記第２無音抑制インターバルに、前記同期パケットまたは前記非同期パケットのうちの前記少なくとも１つの直前に受信されたパケットを選択するように構成されている、装置。
【請求項６】
送信するデバイスからパケット交換呼の第１音声ストリームを受信するように構成された無音抑制インターフェース・コンポーネントを含む装置であって、
前記第１音声ストリームは、第１無音抑制方式に従い、前記パケット交換呼の複数の符号化されたパケットを含み、
前記無音抑制インターフェース・コンポーネントは、第２無音抑制方式に従う第２音声ストリームを作成するために前記複数の符号化されたパケットから符号化されたパケットのサブセットを選択するように構成され、
前記第２音声ストリームは、符号化されたパケットの前記サブセットを含み、
前記第１無音抑制方式は、前記第２無音抑制方式とは異なり、
前記無音抑制インターフェース・コンポーネントは、前記パケット交換呼の受信するデバイスに向けて前記第２音声ストリームを転送するように構成され、
前記無音抑制インターフェース・コンポーネントは、Ｙ個の無音抑制方式の第１セットとＺ個の無音抑制方式の第２セットとの間で調停するように構成され、
無音抑制方式の前記第１セットは、前記第１無音抑制方式を含み、
無音抑制方式の前記第２セットは、前記第２無音抑制方式を含む、装置。
【発明の詳細な説明】
【技術分野】
【０００１】
本発明は、一般に音声ストリーム内の無音抑制（silence suppression）に関する。
【背景技術】
【０００２】
パケット交換ネットワークを介する音声呼は、ユーザの音声を表す符号化されたパケットを作成するために、送信するデバイスでコーデックを使用して実行される。符号化されたパケットは、パケット交換ネットワークを介して転送され、受信するデバイスで復号される。送信するデバイスおよび受信するデバイスの例は、携帯電話機、スマート・ホン、Voice over Internet Protocol（ＶｏＩＰ）端末、パーソナル・コンピュータ、または他のテレフォニ・デバイスを含む。一実施態様では、携帯電話機は、発呼者の音声を複数の符号化されたパケットに符号化する。携帯電話機は、符号化されたパケットを音声ストリーム（たとえば、パケットのストリーム）としてパケット交換ネットワークに送信する。パケット交換ネットワークは、音声ストリームを被呼者の携帯電話機に転送し、この被呼者の携帯電話機で、符号化されたパケットが、被呼者への再生のために復号される。同様に、被呼者の音声は、符号化され、再生のために発呼者に転送される。
【先行技術文献】
【非特許文献】
【０００３】
【非特許文献１】3rd Generation Partnership Project 2(3GPP2)文書C.S0076-0
【非特許文献２】3rd Generation Partnership Project 2(3GPP2)文書C.S0014-D
【非特許文献３】Internet Engineering Task Force(IETF)インターネット標準規格文書RFC 3558
【非特許文献４】Internet Engineering Task Force(IETF)インターネット標準規格文書RFC 4788
【非特許文献５】IETFインターネット・ドラフト「draft-ietf-avt-rtp-evrc-nw-02」(www.ietf.org)
【発明の概要】
【発明が解決しようとする課題】
【０００４】
この実装態様では、携帯電話機は、Enhanced Variable Rate Codec（ＥＶＲＣ）規格を使用して、ユーザの音声から符号化されたパケットを作成する。各符号化されたパケットは、ユーザの音声および／または背景雑音の２０ミリ秒サンプルを表す。このサンプルに基づいて、符号化されたパケットが、複数の事前定義の符号レートの１つの符号レートおよび関連するサイズで作成され、この事前定義の符号レートおよび関連するサイズは、ＥＶＲＣ規格によって定義される。ＥＶＲＣでの符号レートの例は、フル・レート、ハーフ・レート、および１／８レートを含み、これらは、それぞれ１７１ビット、８０ビット、および１６ビットのパケット・サイズを有する。１／８レートで符号化された符号化されたパケットまたは符号化されたフレーム（たとえば、１／８レート・フレーム、１／８レート・パケット、またはレート１／８フレーム）は、一般に、主に背景雑音であるサンプルに使用される。というのは、当業者によって理解されるように、これらが、より小さいフレーム・サイズを有し、送信すべきより少ないネットワーク・リソースを使用し、背景雑音が、ユーザの間の会話に必要ではないからである。
【０００５】
発呼者が、被呼者に聞き入っている時または会話の休止中など、全般的に無音である時には、１／８レート・フレームが、送信するデバイスによって符号化され、被呼者に転送される。背景雑音は、一般に、会話の重要な部分ではないので、１／８レート・フレームの一部を、パケット交換ネットワークを介する送信に関する音声ストリームから除去し、受信するデバイスでの再生の前に別の１／８レート・フレームに交換しまたは置換することができる。音声ストリームからの背景雑音の完全な除去は、被呼者にとって、呼が切断されたか他の形で終了したかのように聞こえる。
【０００６】
そこで、本発明は、従来技術の問題に鑑み、第２音声ストリームを作成するための第１音声ストリームからの符号化されたパケットの選択に関する発明を提供する。
【課題を解決するための手段】
【０００７】
一実施態様では、本発明は方法を含む。パケット交換呼の第１音声ストリームを、発呼者から受信する。第１音声ストリームは、第１無音抑制方式に従い、パケット交換呼の複数の符号化されたパケットを含む。符号化されたパケットのサブセットを、第２無音抑制方式に従う第２音声ストリームを作成するために複数の符号化されたパケットから選択する。第２音声ストリームは、符号化されたパケットのサブセットを含む。第１無音抑制方式は、第２無音抑制方式とは別個である。第２音声ストリームを、パケット交換呼の被呼者に転送する。
【０００８】
本発明のもう１つの実施態様は、装置を含む。この装置は、発呼者からパケット交換呼の第１音声ストリームを受信するように構成された無音抑制インターフェース・コンポーネントを含む。第１音声ストリームは、第１無音抑制方式に従い、パケット交換呼の複数の符号化されたパケットを含む。無音抑制インターフェース・コンポーネントは、第２無音抑制方式に従う第２音声ストリームを作成するために複数の符号化されたパケットから符号化されたパケットのサブセットを選択するように構成される。第２音声ストリームは、符号化されたパケットのサブセットを含む。第１無音抑制方式は、第２無音抑制方式とは別個である。無音抑制インターフェース・コンポーネントは、パケット交換呼の被呼者に向けて第２音声ストリームを転送するように構成される。
【０００９】
本発明のさらなる実施形態は、物品を含む。この物品は、プロセッサによって実行された時に、プロセッサに方法を実行させる命令を格納する１つまたは複数の固定プロセッサ可読媒体を含む。この方法は、発呼者からパケット交換呼の第１音声ストリームを受信するステップを含み、第１音声ストリームは、第１無音抑制方式に従い、パケット交換呼の複数の符号化されたパケットを含む。この方法は、さらに、第２無音抑制方式に従う第２音声ストリームを作成するために複数の符号化されたパケットから符号化されたパケットのサブセットを選択するステップであって、第２音声ストリームは、符号化されたパケットのサブセットを含み、第１無音抑制方式は、第２無音抑制方式とは別個である、ステップを含む。この方法は、さらに、パケット交換呼の被呼者に第２音声ストリームを転送するステップを含む。
【図面の簡単な説明】
【００１０】
【図１】送信するデバイス、パケット交換ネットワーク、および受信するデバイスを含む装置の一実施形態の表現を示す図である。
【図２】パケット交換ネットワークでの無音抑制を示す、図１の装置を介するパケット・フローの一実施態様の表現を示す図である。
【図３】送信するデバイス、パケット交換ネットワーク、受信するデバイス、および無音抑制インターフェース・コンポーネントを含む装置の一実施形態の表現を示す図である。
【図４】パケット交換ネットワークのパケット交換と組み合わされまたはこれと一体化された無音抑制インターフェース・コンポーネントを示す、図３の装置のもう１つの実施形態の表現を示す図である。
【図５】ＲＦＣ  ４７８８または類似する無音抑制方式へのＥＶＲＣ−ＮＷ  ＤＴＸ無音抑制方式のパススルーを示す、図４の装置を通るパケット・フローの一実施態様の表現を示す図である。
【図６】ＲＦＣ  ４７８８または類似する無音抑制方式へのＥＶＲＣ−ＮＷ  ＤＴＸ無音抑制方式の間の調停を示す、図４の装置を通るパケット・フローの一実施態様の表現を示す図である。
【図７】異なる無音抑制インターバルを有する図５のパススルーを示す、図４の装置を通るパケット・フローの一実施態様の表現を示す図である。
【図８】異なる無音抑制インターバルを有する図６の調停を示す、図４の装置を通るパケット・フローの一実施態様の表現を示す図である。
【図９】一致しないコーデックの間の調停を示す、図４の装置を通るパケット・フローの一実施態様の表現を示す図である。
【図１０】一致しないコーデックの間のもう１つの調停を示す、図４の装置を通るパケット・フローの一実施態様の表現を示す図である。
【図１１】図５のパススルーに対するもう１つの変形形態を示す、図４の装置を通るパケット・フローの一実施態様の表現を示す図である。
【図１２】送信するデバイスおよび受信するデバイスとしてＶｏｉｃｅ  ｏｖｅｒ  ＩＰ端末を示す、図３の装置のもう１つの実施形態の表現を示す図である。
【発明を実施するための形態】
【００１１】
背景技術で説明したように、一部の１／８レート・パケットを、音声ストリームから除去して、音声ストリームの送信効率を改善することができる。１／８レート・パケットの除去は、無音抑制としても知られている。たとえば、無音抑制方式は、１つまたは複数の１／８レート（または背景雑音）パケットをパケットの連続するストリームから「捨てる」か省略して、不連続ストリームを作成するのに使用できるルールおよび／またはパラメータを含む。無音抑制方式は、当業者によって了解されるように、パケット交換ネットワークに向かってまたはこれを介して送信される背景雑音を表す符号化されたパケットの個数を減らすことと、音声ストリーム内の背景雑音または「快適雑音（comfort noise）」のある量を維持することとの両方に使用することができる。
【００１２】
送信するデバイス、受信するデバイス、およびパケット交換ネットワークの現在の実施態様は、パケット交換ネットワークの１つまたは複数の部分に対して無音抑制方式を適用することができる。無音抑制方式の一例は、discontinuous transmission（ＤＴＸ）方式である。ＤＴＸ方式の例は、参照によって本明細書に組み込まれている、3rd Generation Partnership Project 2(3GPP2)文書C.S0076-0およびC.S0014-D(www.3gpp2.org)に記載され、Internet Engineering Task Force(IETF)インターネット規格文書RFC 3558およびRFC 4788にも記載され、さらに、IETFインターネット・ドラフト「draft-ietf-avt-rtp-evrc-nw-02」(www.ietf.org)にも記載されている。
【００１３】
一例の送信するデバイスおよび／または受信するデバイスは、３ＧＰＰ２互換無音抑制（たとえば、パケット交換ネットワークを介する音声ストリームの送信の前に）を使用することができ、パケット交換ネットワークは、ＩＥＴＦ互換（たとえば、ＲＦＣ  ４７８８、IETF draft draft-ietf-avt-rtp-evrc-nw-02または類似物）無音抑制を使用する。3GPP2 Enhanced Variable Rate Codec Narrowband-Wideband（ＥＶＲＣ−ＮＷ、Ｃ．Ｓ００１４−Ｄに記載）は、変更されたＤＴＸ方式を記述する。したがって、ＥＶＲＣ−ＮＷ無音抑制方式に従う音声ストリームは、ＲＦＣ  ４７８８または類似する（たとえば、IETF draft-ietf-avt-rtp-evrc-nw-02）無音抑制方式に従わない可能性がある。
【００１４】
図１に移ると、従来技術の装置１００は、送信するデバイス１１０、パケット交換ネットワーク１３０、および受信するデバイス１４０を含む。装置１００は、送信するデバイス１１０のユーザ（図示せず）から受信するデバイス１４０のユーザ（図示せず）に音声ストリーム（すなわち、音声ベアラ・トラフィック）を搬送するように構成される。上で説明したように、音声ストリームは、異なるレートで符号化された複数の音声パケットまたは音声フレームを含む。複数の音声パケットのうちの１つまたは複数は、送信するデバイス１１０からパケット交換ネットワーク１３０を介して受信するデバイス１４０に転送される。
【００１５】
一実施態様の送信するデバイス１１０および受信するデバイス１４０は、セルラ通信ネットワークの移動局を含む。たとえば、送信するデバイス１１０は、発呼者ネットワーク（またはコール・ドメイン（call domain））１１２内の移動局１１４を含み、受信するデバイス１４０は、被呼者ネットワーク（またはコール・ドメイン）１４２内の移動局１４６を含む。移動局１１４および１４６は、当業者によって了解されるように、それぞれのエア・インターフェース１１８および１４８を介してそれぞれの基地局１１６および１４４と通信するように構成される。基地局１１６および１４４は、一例では、セルラ基地局を含む。
【００１６】
この実施態様のパケット交換ネットワーク１３０は、コア・ネットワーク、トランスポート・ネットワーク、バックホール・ネットワーク、または他のパケット交換ネットワークを含む。パケット交換ネットワーク１３０は、一例では、１つまたは複数のパケット・スイッチ１３２および１３４を含む。パケット・スイッチ１３２および１３４の例は、パケット・スイッチ・ゲートウェイ（ＰＳＧ）、メディア・ゲートウェイ（ＭＧＷ）、パケット・フレーム・セレクタ、ルータ、および他のネットワーク・デバイスを含む。代替実施態様では、パケット交換ネットワーク１３０は、トランスコーダ・フリー・オペレーション（ＴｒＦＯ）ネットワーク１６０などのＴｒＦＯネットワークを含むか、これに結合される。２つのパケット・スイッチだけが図示されているが、パケット交換ネットワーク１３０は、追加のパケット・スイッチを含むことができる。したがって、当業者によって了解されるように、パケット・スイッチ１３２および１３４を、パケット交換ネットワーク１３０の内側またはエッジに配置することができる。
【００１７】
パケット・スイッチ１３２は、それぞれインターフェース１２０および１６２を介して基地局１１６およびＴｒＦＯネットワーク１６０と通信するように構成される。パケット・スイッチ１３４は、それぞれインターフェース１５０および１６４を介して基地局１４４およびＴｒＦＯネットワーク１６０と通信するように構成される。インターフェース１２０、１６２、１５０、および１６４の例は、当業者によって了解されるように、有線、無線、光ファイバ、または他の通信経路を含む。
【００１８】
パケット交換ネットワーク１３０は、一例では、１つまたは複数のパケット・スイッチ・コントローラ（ＰＳＣ）１３６および１３７を含むか、これに結合される。パケット・スイッチ・コントローラ１３６および１３７の例は、アクセス・マネージャ、モバイル・スイッチング・センタ（ＭＳＣ）、またはモバイル・スイッチング・センタ・エミュレーション（ＭＳＣｅ）コンポーネントを含む。パケット・スイッチ・コントローラ１３６および１３７は、一例では、発呼者ネットワーク１１２、被呼者ネットワーク１４２、およびパケット交換ネットワーク１３０の間で通信を管理するように構成される。たとえば、パケット・スイッチ・コントローラ１３６および１３７は、当業者によって了解されるように、パケット交換呼の音声ベアラ経路を作成するように基地局１１６および１４４ならびにパケット・スイッチ１３２および１３４に指示する。他の実施態様では、パケット・スイッチ１３２と１３４との両方を、単一のパケット・スイッチ・コントローラによって制御することができる。
【００１９】
送信するデバイス１１０、パケット交換ネットワーク１３０、および受信するデバイス１４０のうちの１つまたは複数は、それぞれの無音抑制方式を使用するように構成される。図２に移ると、従来技術のパケット・フロー２００は、図１の装置１００の移動局１１４と１４６との間の呼のパケットのフロー（たとえば、音声ストリーム）の一例を表す。パケット・フロー２００は、符号化されたパケットの間の２０ミリ秒のインターバルを伴う４００ミリ秒の無音または背景雑音のサンプル持続時間を示す。この例では、コール・ドメイン（たとえば、移動局１１４および１４６ならびに基地局１１６および１４４）は、無音抑制方式を用いずにインターフェース１１８、１２０、１４８、および１５０を介して音声パケットを転送するように構成される。したがって、１／８レート符号化されたパケット２５０、２５１、２５２、…２７０（たとえば、無音フレーム）は、移動局１１４から基地局１１６を介してパケット・スイッチ１３２に転送される。
【００２０】
図２のパケット・スイッチ１３２は、ＴｒＦＯネットワーク１６０を介してパケット・スイッチ１３４へ無音抑制方式を使用するように構成される。一例では、パケット・スイッチ１３２の無音抑制方式は、ＲＦＣ  ４７８８または類似するＤＴＸ方式（ＩＥＴＦドラフトdraft-ietf-avt-rtp-evrc-nw-02を含む）と互換であるかこれに従う。３ＧＰＰ２  Ｃ．Ｓ００７６−０に記載されているように、ＤＴＸ方式は、無音のＤＴＸ期間中に送信される１／８レート・パケットであるSilence Insertion Description（ＳＩＤ）フレームを含む。「保証された更新インターバル」または無音抑制インターバルＮは、あるＳＩＤフレームから次のＳＩＤフレームまでの複数のパケットである。たとえば、無音抑制インターバルＮ＝５パケットは、ＳＩＤフレームが、５パケットおきに１回送信されることが保障されることを意味する。ＳＩＤフレームまたはパケットの送信が「保証される」間に、基地局または別のコンポーネントが、移動中のパケットを失う場合があるが、当業者によって了解されるように、フレーム更新は、セット・インターバルによって保障される。Ｃ．Ｓ００７６−０のＤＴＸ方式は、１から５０までの範囲の無音抑制インターバルＮを可能にするが、Ｃ．Ｓ００１４−Ｄの変更されたＤＴＸ方式は、１、４、または８の無音抑制インターバルＮを可能にする。
【００２１】
図２の例では、パケット・スイッチ１３２は、無音抑制方式の無音抑制インターバルＮについて値Ｎ＝１０を使用する。したがって、パケット・スイッチ１３２は、基地局１１６から受信された各１／８レート・パケットの１０個のうちの１つを転送する。図２を参照すると、パケット・スイッチ１３２は、図示の期間中に、符号化されたパケット２５０、２６０、および２７０をパケット・スイッチ１３４に転送し、パケット２５１から２５９および２６１から２６９を「捨て」または省略する。
【００２２】
基地局１４４および移動局１４６は、無音抑制なしで構成されているので、パケット・スイッチ１３２によって捨てられたパケットは、パケット・スイッチ１３４によって交換されまたは置換される。たとえば、パケット・スイッチ１３４は、無音抑制インターバルに最後に受信されたパケット（たとえば、パケット２５０、２６０、および２７０）を繰り返すかコピーし、その結果、移動局１４６（および基地局１４４）には、パケットの連続するシーケンスがパケット・スイッチ１３４から送信されるように見えるようにする。したがって、当業者によって了解されるように、図２は、パケット・スイッチ１３４が、パケット２５０の１０個のインスタンスすなわち、１つの「オリジナル」・パケットと９個の追加のインスタンスまたはコピーを送信することを示す。
【００２３】
図３に移ると、装置３００の一実施態様は、装置１００のコンポーネントを含み、さらに、無音抑制インターフェース（ＳＳＩ）コンポーネント３２０を含む。ＳＳＩコンポーネント３２０は、一例では、ネットワーク・インフラストラクチャ・デバイス、アプリケーション・サーバ、または他のコンピューティング・デバイスを含む。もう１つの例では、ＳＳＩコンポーネント３２０は、メモリに格納されたソフトウェアまたは命令を実行するように構成されたプロセッサまたはコンピュータを含む。たとえば、ＳＳＩコンポーネント３２０は、本明細書で説明されるように、記録可能データ記憶媒体３２２のインスタンスを含む。ＳＳＩコンポーネント３２０は、一例では、たとえば記録可能データ記憶媒体３２２に格納された、第１および／または第２の無音抑制方式に関する１つまたは複数のパラメータまたはルールを含む。ＳＳＩコンポーネント３２０は、一例では、代替のコーデック、送信するデバイス、および／または受信するデバイスをサポートするために、追加のおよび／またはより新しい無音抑制方式または無音抑制方式のパラメータもしくはルールを用いて更新されるように構成される。たとえば、ＳＳＩコンポーネント３２０は、第３の無音抑制方式の１つまたは複数のパラメータを受信し、そのパラメータを記録可能データ記憶媒体３２２に格納する。パラメータおよび／または無音抑制方式を、ネットワーク、ヒューマン・インターフェース・デバイス（たとえば、キーボードまたは端末）、または記録可能データ記憶媒体３２２の別のインスタンスを介して受信することができる。
【００２４】
図３の実施態様では、ＳＳＩコンポーネント３２０は、発呼者ネットワーク１１２およびパケット交換ネットワーク１３０とは別々のコンポーネントとして図示されている。しかし、代替実施態様では、ＳＳＩコンポーネント３２０を、発呼者ネットワーク１１２またはパケット交換ネットワーク１３０内のデバイスまたはコンポーネントとすることができる。ＳＳＩコンポーネント３２０を、基地局１１６もしくは１４４、パケット・スイッチ１３２、またはパケット・スイッチ１３４など、発呼者ネットワーク１１２、被呼者ネットワーク１４２、またはパケット交換ネットワーク１３０のデバイスまたはコンポーネントと組み合わせるか、これと一体に形成することもできる。他の実施形態では、エア・インターフェース１１８および１４８を、有線、光ファイバ、または他の通信経路に交換することができる。さらに、発呼者ネットワーク１１２および被呼者ネットワーク１４２は、同一のネットワークとするか、陸線ネットワークを含むことができる。
【００２５】
図４に移ると、装置４００は、装置３００のもう１つの実施態様を表し、パケット・スイッチ１３２と組み合わされたＳＳＩコンポーネント３２０を示す。代替実施態様では、当業者によって了解されるように、ＳＳＩコンポーネント３２０を、コーデック・モジュール、音声品質改善（voice quality enhancement）モジュール（たとえば、音響エコー・キャンセラ、ノイズ・サプレッサ、自動利得コントローラ、およびノイズ・コンペンセータ）、パケット・フレーム・セレクタ、ネットワーク・スイッチ、ネットワーク・ブリッジ、またはルータと組み合わせるか、これによって実施することができる。
【００２６】
ＳＳＩコンポーネント３２０は、第１無音抑制方式と第２無音抑制方式との間で調停するように構成される。たとえば、当業者によって了解されるように、ＳＳＩコンポーネント３２０は、第１無音抑制方式に従う第１音声ストリームを受信し、第２無音抑制方式に従う第２音声ストリームを作成するために第１音声ストリームを変更し、第２音声ストリームを転送するように構成される。ＳＳＩコンポーネント３２０は、一例では、送信するデバイス１１０と受信するデバイス１４０との間の両方向調停のために構成される。たとえば、デバイス１１０または１４０のいずれもが、ＳＳＩコンポーネント３２０を介して音声ストリームを送信し、かつ／または変更された音声ストリームを受信することができる。
【００２７】
図５に移ると、図４の実施態様のパケット・フロー５００の一例が示されている。この実施態様のＳＳＩコンポーネント３２０（パケット・スイッチ１３２と組み合わされて図示）は、受信される各１／８レート・パケット（本明細書で説明するように、「ブランク」を除く）を「パススルーする」ことによって、２つの別個の無音抑制方式の間で調停するように構成される。パケット・フロー５００では、発呼者ネットワーク１１２および被呼者ネットワーク１４２は、無音抑制インターバルＮ＝４を有する無音抑制に関してEnhanced Variable Rate Codec Narrowband-Wideband（ＥＶＲＣ−ＮＷ）ＤＴＸストリームを使用するように構成され、パケット交換ネットワーク１３０およびＴｒＦＯネットワーク１６０は、無音抑制インターバルＮ＝１０を有する無音抑制に関してＲＦＣ  ４７８８または類似物（たとえば、ＩＥＴＦ  draft-ietf-avt-rtp-evrc-nw-02）に従うＤＴＸストリームを使用するように構成される。たとえば、インターフェース１１８、１２０、１４８、および１５０（図４に図示されるような）は、ＥＶＲＣ−ＮＷ  ＤＴＸストリーム用に構成され、インターフェース１６２および１６４（図４）は、ＲＦＣ  ４７８８または類似するＤＴＸストリーム用に構成される。
【００２８】
パケット・フロー５００は、ネットワーク１１２とネットワーク１４２との間のパケット交換ネットワーク１３０内で現在使用される無音抑制方式を維持しながら、より新しい無音抑制方式を使用する発呼者ネットワーク１１２と被呼者ネットワーク１４２との間での調停の潜在的問題を示す。たとえば、非同期パケットを使用する第１無音抑制方式（たとえば、ＥＶＲＣ−ＮＷ）は、非同期パケットを使用しない第２無音抑制方式（たとえば、ＲＦＣ  ４７８８）と比較して、追加のパケットを有する場合がある。
【００２９】
この問題に対する１つの解決策は、懸念が、音声符号化ではなく無音抑制に関するものなので、パケットのサブセットが第２無音抑制方式と互換になるように、第１無音抑制方式に従う音声ストリームからのパケットのサブセットを選択することである。さらにもう１つの解決策は、端から端まで同一の無音抑制方式を適用することであるはずである。しかし、無音抑制方式のこの変更は、かなりのリソースを必要とするはずである（たとえば、より新しいＥＶＲＣ−ＮＷコーデックおよび無音抑制方式をサポートするためにパケット交換ネットワークをアップグレードする）。
【００３０】
図５を参照すると、第１無音抑制方式は、ＥＶＲＣ−ＮＷ  ＤＴＸ方式を含み、無音抑制インターバルＮ＝４である。したがって、移動局１１４は、４つおきの符号化されたパケットの後に１／８レート・パケットを送信し、たとえば、１／８レート（またはＳＩＤ）パケット５５０、５５４、５５８、５６２、５６６、および５７０が、無音抑制インターバルに送信される。１／８レート・パケット５５０、５５４、５５８、５６２、５６６、および５７０は、一例では、同期パケットまたは「非クリティカル」パケットを含む。ＥＶＲＣ−ＮＷ  ＤＴＸ方式は、さらに、モバイル・エンコーダによって背景雑音の大きい変化を識別する１／８レート・パケットを含む「クリティカル」パケットまたは非同期パケットを定義する。クリティカル・パケットは、無音抑制インターバルとは独立に送信され得る。クリティカル・パケットの例は、無音抑制インターバルの外で発生するパケット５５６および５５８を含む。移動局１１４は、１／８レート・パケット５５０、５５４、５５６、５５８、５６２、５６６、５６８、および５７０を含む、音声ストリームの複数の符号化されたパケットを基地局１１６に送信する。
【００３１】
図５の実施態様では、基地局１１６は、同期パケットおよび非同期パケットを「ブランク」またはブランクにされたパケット５８０と一緒にパケット・スイッチ１３２（およびＳＳＩコンポーネント３２０）に転送するように構成される。ブランク５８０は、一例では、インターフェース１２０または「回線」がまだ生きていることと、更新またはパケットが期待されることとの表示を提供する。ブランク５８０は、この例では、パケット・スイッチ１３４またはＴｒＦＯネットワーク１６０には転送されない。
【００３２】
パケット・スイッチ１３２は、同期パケットと非同期パケットとの両方をパケット・スイッチ１３４に転送する（たとえば、選択し、パススルーする）（しかし、ブランク５８０は転送しない）。パケット・スイッチ１３４は、同期パケットおよび非同期パケットを、パケット・スイッチ１３２によって捨てられたパケットを置換するための繰り返されるパケットと一緒に基地局１４４に転送する。たとえば、パケット・スイッチ１３４は、パケット５５０の４つのインスタンス、パケット５５４の２つのインスタンスなどを送信する。基地局１４４は、移動局１４６への音声ストリームの転送に関してＮ＝４の無音抑制方式を適用する。
【００３３】
図５は、ＳＳＩコンポーネント３２０によって異なる無音抑制方式の間の調停を提供する解決策の一例である。これは、ＲＦＣ  ４７８８（または類似する）ＤＴＸ方式に従って無音が抑制される図２に対して、ＴｒＦＯネットワーク１６０を介するトラフィックの増加を示す。さらに、この実施形態は、ＥＶＲＣ−ＮＷ狭帯域（ＮＢ）モードがＥＶＲＣ−Ｂボコーダと互換であるという前提に依存する。ここで、当業者によって了解されるように、移動局は、ＥＶＲＣ−ＮＷ  ＮＢモードだけを使用するように指示され、広帯域（ＷＢ）モード０は、許容されない。
【００３４】
したがって、図５は、発呼者ネットワーク１１２または被呼者ネットワーク１４２のいずれかで使用される無音抑制方式が、無音抑制インターフェース・コンポーネント３２０によるエンドツーエンド無音抑制方式のために適合される実施形態を示す。しかし、この解決策は、パケット交換ネットワーク１３０のオペレーが好む可能性があるパケット交換ネットワーク１３０内の既存構成を維持するための柔軟性に欠けている。同様に、この解決策は、発呼者ネットワーク１１２、パケット交換ネットワーク１３０、または被呼者ネットワーク１４２の構成（たとえば、無音抑制方式）が異なる場合には使用可能ではない。パケット交換ネットワーク１３０の目標および動作コンポーネントは、発呼者ネットワーク１１２および被呼者ネットワーク１４２の目標および動作コンポーネントと異なる可能性がある。有利なことに、図６および８〜１０で構成されたようなＳＳＩコンポーネント３２０は、発呼者ネットワーク１１２、被呼者ネットワーク１４２、およびパケット交換ネットワーク１３０が、それぞれ、独立に、それぞれのオペレータの好みに従って、パケット交換呼の音声ストリームを管理することを可能にする。対照的に、図５、７、および１１の構成は、エンドツーエンド解決策を提供するために余分なリソースを必要とする可能性がある。
【００３５】
図６に移ると、装置３００のもう１つの実施態様のパケット・フロー６００が示されている。ＳＳＩコンポーネント３２０（パケット・スイッチ１３２と組み合わされて図示）は、発呼者ネットワーク１１２とパケット交換ネットワーク１３０との間で調停するように構成される。この例では、Ｎ＝４のＥＶＲＣ−ＮＷ  ＤＴＸ方式が、第１無音抑制方式として移動局１１４によって使用され、第２無音抑制方式（Ｎ＝１０のＲＦＣ  ４７８８または類似物）が、パケット・スイッチ１３２と１３４との間で使用される。パケット・フロー６００は、音声ストリームを介する背景雑音の４００ミリ秒期間を示す。
【００３６】
パケット・スイッチ１３２は、第２無音抑制方式に従って基地局１１６から受信した音声ストリームを変更するように構成される。図５のパケット・フロー５００に似て、同期パケット５５０、５５４、５５８、５６２、５６６、および５７０と非同期パケット５５６および５６８とブランク５８０とが、基地局１１６を介してパケット・スイッチ１３２に転送される。パケット・スイッチ１３２は、無音抑制インターバルをいつ適用するかを判定する際に、同期パケット、非同期パケット、およびブランクをカウントする。パケット・スイッチ１３２は、一例では、音声ストリームの複数の受信されたパケットから受信されたパケットのサブセットを選択することによって、音声ストリームを変更する。受信されたパケットのサブセットから、パケット・スイッチ１３２は、パケット交換ネットワーク１３０の無音抑制方式に従う第２音声ストリームを作成する。たとえば、パケットは、パケット・スイッチ１３２によって、第２無音抑制方式のパラメータに基づいて選択される。パケット・スイッチ１３２は、当業者によって了解されるように、第１無音抑制方式の無音抑制インターバルＮ＝４ではなく、パケット交換ネットワーク１３０の無音抑制インターバルＮ＝１０に対して直前に受信されたパケットを選択する。
【００３７】
第２音声ストリームは、パケット・スイッチ１３２によって選択されたパケット５５０、５５８、および５７０を含む。第２音声ストリームは、ＴｒＦＯネットワーク１６０を介してパケット・スイッチ１３４に転送される。パケット・スイッチ１３４は、音声ストリームの残りのパケットに充填するために直前に受信されたパケット（たとえば、パケット５５０および５５８）のコピーと一緒に、第２音声ストリームを基地局１４４に転送する。基地局１４４は、次いで当業者によって了解されるように、受信した音声ストリームに被呼者ネットワーク１４２の無音抑制方式（たとえば、Ｎ＝４）を適用する。
【００３８】
図７に移ると、パケット・フロー７００は、図５のパケット・フロー５００に似ているが、発呼者ネットワーク１１２および被呼者ネットワーク１４２の無音抑制インターバルは、Ｎ＝８の保証された更新インターバルを有する。パケット・スイッチ１３２は、移動局１１４および基地局１１６の無音抑制方式に従ってパケット５５０、５５６、５５８、５６６、および５６８をパススルーする。パケット・スイッチ１３４は、受信されたパケットを、コピーと一緒に基地局１４４に渡す。基地局１４４は、次いで移動局１４６にパケットを転送するためにＮ＝８の無音抑制方式を適用する。したがって、移動局１４６は、パケット５５０、５５８、および５６６だけを受信し、クリティカル・パケット５５６、５５８、またはコピーを受信しない。
【００３９】
図８に、図６のパケット・フロー６００に似たパケット・フロー８００を示す。しかし、パケット・フロー８００は、パケット交換ネットワーク１３０に関する更新インターバルＮ＝１０と、発呼者ネットワーク１１２および被呼者ネットワーク１４２に関するＮ＝８の更新インターバルとを示す。したがって、ＳＳＩコンポーネント３２０は、ＴｒＦＯネットワーク１６０の既存のセッティングを維持する。さらに、ＳＳＩコンポーネント３２０は、受信されたパケットのサブセットを選択することによって、基地局１１６から受信した音声ストリームを適合させまたは変更する。ＳＳＩコンポーネント３２０は、別個の無音抑制方式を有するネットワークの間での送信を容易にし、たとえば、無音抑制方式の更新インターバル（または他のパラメータ、ルールなど）は、発呼者ネットワーク１１２と被呼者ネットワーク１４２との間で一致しない。
【００４０】
図９に移ると、パケット・フロー９００は、パケット・フロー８００に似ているが、一致しないコーデックのために変更されている。パケット化された音声データ内の無音インターバルを１つのネットワーク内で異なる更新インターバルで送信することを可能にするためにシステムを適合させる際に、コール・ドメインは、異なる無音抑制方式を使用することができ、あるいは、無音抑制方式を含まない音声エンコーダを使用することができる。パケット・フロー９００では、移動局１１４および基地局１１６は、Ｎ＝８のＥＶＲＣ−ＮＷを使用するが、移動局１４６および基地局１４４のコーデックは、無音抑制を含まないＥＶＲＣ−Ｂである。ここでは、被呼者ネットワーク１４２は、いかなる形の無音抑制をも使用していない。これは、受信する側が図示のようなＥＶＲＣ−Ｂなどのより古いサービス・オプションまたはコーデックを使用している場合、または無音抑制がＮ＝１をセットすることによってディスエーブルされる場合に発生する。
【００４１】
パケット・スイッチ１３２は、受信されたパケット５５０、５５６、５５８、５６６、および５６８のサブセットを選択することによって、基地局１１６から受信した音声ストリームを変更する。変更された音声ストリームは、パケット５５０、５５８、および５６８を含む。パケット５５０、５５８、および５６８は、パケット・スイッチ１３４に転送され、パケット・スイッチ１３４は、これらのパケットを、コピーと一緒に基地局１４４を介して移動局１４６に転送する。したがって、別個の無音抑制方式を用いる２つのコール・ドメインが、無音抑制方式を用いないより古い音声コーデックを使用してコール・ドメインとインターフェースされる。
【００４２】
図１０に移ると、パケット・フロー１０００は、パケット交換ネットワーク１３０での無音抑制方式に関してＮ＝１０の、ＥＶＲＣ−ＢからＥＶＲＣ−ＮＷへの音声ストリームの不一致のコーデックのインターフェースを示す。ここでは、移動局１１４は、より古い音声エンコーダ（たとえば、ＥＶＲＣ−Ｂ）を使用しつつあり、無音抑制を実行していない。移動局１４６は、無音抑制プロトコルを含む新しい音声コーデックを使用しており、Ｎ＝８である。
【００４３】
図１０は、図９の音声ストリームのコーデックの「逆」または図２に示されたような発呼者ネットワーク１１２内の無音抑制なしの第１音声ストリームへのＥＶＲＣ−ＮＷ  ＤＴＸ方式の適用を示す。具体的には、パケット・スイッチ１３２は、パケット２５１から２５９および２６１から２６９に無音抑制を適用し、パケット２５０、２６０、および２７０をパケット・スイッチ１３４に渡す。パケット・スイッチ１３４は、パケット２５０、２６０、および２７０をパケット２５０および２６０のコピーと一緒に転送する。しかし、図１０では、基地局１４４は、移動局１４６の無音抑制方式を音声ストリームに適用する。
【００４４】
図９および１０に示されているように、無音抑制方式の追加の変形形態が存在し、本明細書の原理の範囲内で企図されている。たとえば、ＳＳＩコンポーネント３２０での別個の無音抑制方式の適用に対処するために、ブランクにされたパケットの送信に合意するために基地局１１４および１１６によって調整を行い、パケット・スイッチ１３２および１３４がクリティカル・パケットを渡すか否かをセットすることによって調整を行うことができる。
【００４５】
図１１に移ると、パケット・フロー１１００は、図５の「パススルー」のもう１つの変形形態を示す。この例では、発呼者ネットワーク１１２は、Ｎ＝８のＥＶＲＣ−ＮＷ  ＤＴＸ方式を使用する。被呼者ネットワーク１４２は、無音抑制を実行しておらず、ＥＶＲＣ−Ｂコーデックを使用している。この例のパケット・スイッチ１３２は、Ｎ＝１０を使用して無音抑制方式を適用するように構成される。
【００４６】
上の説明の諸部分は、たとえば移動局、パケット交換ネットワーク、およびＥＶＲＣなどのコーデックに関するが、当業者は、代替実装態様および代替実施形態が可能であることを了解するであろう。移動局の代替実装態様は、携帯電話機、スマート・ホン、音声メール・サーバ、Voice over Internet Protocol（ＶｏＩＰ）端末、パーソナル・コンピュータ、session initiation protocol（ＳＩＰ）デバイス、テレフォニ・デバイス、または音声を受信するように構成された他のデバイスを含む。パケット交換ネットワークの代替実装態様は、ローカル・エリア・ネットワーク、広域ネットワーク、インターネット、他のパケット交換ネットワーク、およびその組合せを含む。コーデックの代替実装態様は、ＥＶＲＣ−Ａコーデック、ＥＶＲＣ−Ｂコーデック、ＥＶＲＣ−ＷＢコーデック、ＥＶＲＣ−ＮＷコーデック、Long Term Evolution（ＬＴＥ）コーデック、Adaptive MultiRate（ＡＭＲ）コーデック、および背景雑音を含むパケットを省略できる他の会話コーデックもしくはオーディオ・コーデックを含む。したがって、追加の実施形態は、有線ネットワークまたは陸線ネットワーク、私有電話ネットワーク、音声メール・サービス、およびその組合せを含む。さらに、ＤＴＸならびに上述の３ＧＰＰ２文書およびＩＥＴＦ文書と互換の無音抑制方式が説明されるが、当業者によって了解されるように、代替の無音抑制方式を、音声ストリームからパケットを捨てるか省略するための異なるルール、パラメータ、または判断基準と共に使用することができる。
【００４７】
図３の実施態様を参照すると、無音抑制インターフェース・コンポーネント３２０は、送信するデバイス１１０とパケット交換ネットワーク１３０との間（たとえば、第１無音抑制方式と第２無音抑制方式との間）で調停するように構成される。代替実装態様では、無音抑制インターフェース・コンポーネント３２０は、１つまたは複数のそれぞれの無音抑制方式を用いる１つまたは複数の追加のデバイス、ネットワーク、および／またはコール・ドメインの間で調停するように構成される。第１の例では、無音抑制インターフェース・コンポーネント３２０は、ある無音抑制方式とＺ個の追加の無音抑制方式のセットとの間の調停（たとえば、「１対多」または１対Ｚ調停）を提供するように構成される。第２の例では、無音抑制インターフェース・コンポーネント３２０は、Ｙ対Ｚ調停など、Ｙ個の無音抑制方式の第２セットと無音抑制方式の第１セットとの間の調停を提供するように構成される。一例の無音抑制インターフェース・コンポーネント３２０は、複数の無音抑制方式の間での調停のために、１ｘＺまたはＹｘＺ判断テーブルおよび／または判断行列を含む。したがって、無音抑制インターフェース・コンポーネント３２０は、当業者によって了解されるように、それぞれの無音抑制方式を用いる送信するデバイス１１０、受信するデバイス１４０、および／またはパケット交換ネットワーク１３０の複数のインスタンスの間で調停するように構成される。
【００４８】
図１２に移ると、装置１２００は、装置３００のもう１つの実装態様を表す。装置１２００は、送信するデバイス１１０、受信するデバイス１４０、およびパケット交換ネットワーク１３０を含む。この実装態様では、送信するデバイス１１０および受信するデバイス１４０は、それぞれＶｏｉｃｅ  ｏｖｅｒ  ＩＰ端末１２１０および１２４０を含む。ＶｏＩＰ端末１２１０および１２４０は、パケット交換ネットワーク１３０を介して通信するように構成される。ＶｏＩＰ端末１２１０は、第１無音抑制方式を使用し、第１無音抑制方式に従う音声ストリームをパケット・スイッチ１３２に送信するように構成される。パケット・スイッチ１３２は、ＳＳＩコンポーネント３２０を含み、第２無音抑制方式に従うように音声ストリームを変更するように構成される。したがって、パケット・スイッチ１３２は、第２無音抑制方式に従う第２音声ストリームを作成するために、音声ストリームからパケットのサブセットを選択する。パケット・スイッチ１３４は、当業者によって了解されるように、ＶｏＩＰ端末１２４０での再生の前に、１つまたは複数のパケットを第２音声ストリームに交換しまたは置換するように構成される。
【００４９】
一例の装置３００は、１つまたは複数の固定プロセッサ可読媒体を使用する。固定プロセッサ可読媒体は、本発明の１つまたは複数の実装態様の１つまたは複数の部分を実行する（たとえば、プロセッサまたはコンピュータによって）ためのソフトウェア（たとえば、コンパイルされたコードまたは解釈されるコード）、ファームウェア、および／またはアセンブリ言語を格納する。装置３００のための固定プロセッサ可読媒体の例は、ＳＳＩコンポーネント３２０の記録可能データ記憶媒体３２２を含む。一例の装置３００のための固定プロセッサ可読媒体は、磁気データ記憶媒体、電気データ記憶媒体、光データ記憶媒体、生物データ記憶媒体、および原子データ記憶媒体のうちの１つまたは複数を含む。たとえば、固定プロセッサ可読媒体は、フロッピ・ディスク、磁気テープ、ＣＤ−ＲＯＭ、ＤＶＤ−ＲＯＭ、ハード・ディスク・ドライブ、および電子メモリを含む。もう１つの例では、固定プロセッサ可読媒体は、フラッシュ・メモリ・ドライブなど、取り外し可能またはポータブルなデバイスを含む。
【００５０】
一例の装置３００は、電子コンポーネント、ハードウェア・コンポーネント、およびコンピュータ・ソフトウェア・コンポーネントのうちの１つまたは複数など、複数のコンポーネントを含む。複数のそのようなコンポーネントを、装置３００内で組み合わせまたは分割することができる。装置３００の例のコンポーネントは、当業者によって了解されるように、複数のプログラミング言語のいずれかで記述されまたはこれを用いて実装された１組のおよび／または一連のコンピュータ命令を使用し、かつ／または含む。
【００５１】
本明細書で説明されるステップまたは動作は、単に例である。本発明の趣旨から逸脱しない、これらのステップまたは動作に対する多数の変形形態がある可能性がある。たとえば、ステップを異なる順序で実行することができ、あるいは、ステップを追加し、削除し、または変更することができる。
【００５２】
本発明の例の実施態様を図示し、本明細書で詳細に説明したが、本発明の趣旨から逸脱せず、したがって添付の特許請求の範囲で定義されるような本発明の範囲に含まれると考えられる、さまざまな変更、追加、置換、および類似物を行うことができることは、当業者には明白であろう。
【図１２】
0005868496.tif 000002
【図１】
0005868496.tif 000003
【図２】
0005868496.tif 000004
【図３】
0005868496.tif 000005
【図４】
0005868496.tif 000006
【図５】
0005868496.tif 000007
【図６】
0005868496.tif 000008
【図７】
0005868496.tif 000009
【図８】
0005868496.tif 000010
【図９】
0005868496.tif 000011
【図１０】
0005868496.tif 000012
【図１１】
0005868496.tif 000013